(57)【要約】【課題】複数のピースで構成された外装カバーの継ぎ目に生じる隙間を小さくして、外観の品位を高めることが可能な電子機器の外装部品の組み立て締結構造を提供する。【解決手段】電子機器の外装を構成する第１カバー２０に配置された第１の係合部材２１と、電子機器の外装を構成する第２カバー８に配置された第２の係合部材２２とを有する。これらの間に、係合状態に組み合わされたときに相互に引き合う付勢力を与える状態となるよう構成された、引き込み構造２５を配設する。この引き込み構造２５は、貫通穴部２４の内周端面２４ａが凸部２８の斜面に摺動自在に圧接して、第１カバー２０と第２カバー８とが相互に接近する方向の付勢力が働くように構成する。【選択図】図１３
2010182798.tif 000002
【特許請求の範囲】
【請求項１】
第１のカバー部材と、前記第１のカバー部材と係合する第２のカバー部材とを有する電子機器であって、
前記第１のカバー部材の端部に、前記第１のカバー部材の表面から離れるにつれ前記第１のカバー部材の外側に傾斜する斜面を形成し、
前記第２のカバー部材の端部に、前記第１のカバー部材と前記第２のカバー部材とが係合したときに、前記斜面に当接するとともに、前記第１のカバー部材に向かって付勢される当接部を形成することを特徴とする電子機器。
【請求項２】
前記第１のカバー部材の端部には凸部が形成されるとともに、前記第２のカバー部材の端部には前記凸部よりも大きい穴部が形成され、前記穴部の端が前記凸部の斜面に当接することを特徴とする請求項１に記載の電子機器。
【請求項３】
前記第１のカバー部材および前記第２のカバー部材のそれぞれの端部には、前記第１のカバー部材および前記第２のカバー部材を係止する係止部が複数箇所に形成され、前記斜面および前記当接部は前記複数の係止部の間に配置されることを特徴とする請求項１または２に記載の電子機器。
【請求項４】
前記第１のカバー部材および前記第２のカバー部材によって覆われる内部部材を有し、
前記第１のカバー部材と前記第２のカバー部材とを係合させる際に、前記当接部が前記斜面に当接するようにガイドするガイド部を前記内部部材に形成することを特徴とする請求項１ないし３のいずれか１項に記載の電子機器。
【請求項５】
前記ガイド部は前記第１のカバー部材と前記第２のカバー部材とが係合したときに、前記当接部を前記第１のカバー部材に向かって押し上げる形状を有することを特徴とする請求項１ないし４のいずれか１項に記載の電子機器。
【発明の詳細な説明】
【技術分野】
【０００１】
本発明は、電子機器用の複数に分割された外装部品を組み合わせて結合するのに用いて好適な、電子機器に関する。
【背景技術】
【０００２】
近年、デジタルカメラ等の電子機器は、更なる小型化、薄型化を求めて製品開発が盛んに行われている。
【０００３】
このデジタルカメラは、外装を構成するハウジング内部に、撮像光学系によって結像された被写体像を光電子変換して電子画像信号を出力する固体撮像素子を収納している。さらに、カメラのハウジング内部には、固体撮像素子から出力される電子画像信号を記憶する記憶媒体と、撮像された電子画像を確認することが可能な画像表示ユニットとが収納されている。
【０００４】
また、このようなデジタルカメラでは、製品の小型化、薄型化や、高級感を出すためにハウジング部品（外装カバー）を金属材料で構成するものが多くなっている。
【０００５】
このように、金属材料を用いた複数のハウジング用ピースで外装カバーを構成した場合には、外装カバーの内側で機械的に外装カバー同士を固定するための締結部品又は締結構造が必要となる。この場合に利用される固定方法には、例えば、外装カバーの材質がステンレス系であれば、スポット溶接にて金属部材を固定する方法がある。さらに、外装カバーの材質がアルミ系であれば、かしめ固定により金属部材を固定する方法がある。また、外装カバーを構成する金属製ピースを、機械的な係止構造で固定する方法がある。
【０００６】
一般に、デジタルカメラ等の電子機器では、複数のピースからなる外装カバーを構成した場合には、塵埃の侵入を防止し、外観の品位を高めるために、複数のハウジング用ピース同士の間に生じる隙間を極力抑制する必要がある。
【０００７】
そこで、従来の電子機器では、複数のピースからなる外装カバーを、シャーシ等の本体内部の部品に組み付けてハウジング全体を構成するものがある。このような電子機器には、例えば、前カバーと後カバーの２つをそれぞれシャーシにねじで締結して外装カバーを構成するものが提案されている（例えば、特許文献１参照）。
【０００８】
また、電子機器において、前カバーと後カバーの２つをそれぞれシャーシにねじで締結して外装カバーを構成する構造では、ねじ穴の寸法公差のばらつきにより、それらのカバーの間に生じる隙間を無くすことが困難である。さらに、電子機器の外面上にねじが露呈すると、外観の品位が落ちることになる。
【０００９】
そこで、従来の電子機器では、金属部材同士の係止による外装カバーの固定方法が提案されている。この方法は、外観にねじが露出しないため、外観の品位という点においては有利である。さらに、この方法は落下による衝撃を受けても、カバー同士が外れないように、カバーはずれ方向には強い係止構造（ひっかけ）に構成されている。しかし、金属部材の寸法のみで金属部材同士の係止状態が決定されてしまうので、部品精度、組立ばらつきにより、カバー同士の合わせ目に隙間ができてしまうという問題点がある。
【００１０】
そこで、前カバーと後カバーの合わせ目の隙間を狭くしたり、広くしたり調整を行うことが可能な機構を、電子機器本体内部に配置した電子機器が提案されている。この機構では、カバー側面に穴が開いており、そこから調整部材をはめ込んで調整を行うものであり、側面の開口穴は、調整を行わないときに目隠し部材によって塞がれている（例えば、特許文献２参照）。
【先行技術文献】
【特許文献】
【００１１】
【特許文献１】特開２０００−２２３８６３号公報
【特許文献２】特開２００８−１４１１２９号公報
【発明の概要】
【発明が解決しようとする課題】
【００１２】
しかし、上述のように、前カバーと後カバーとの合わせ目に生じる隙間を調整する機構は、機構自体が複雑であり、部品点数が多く、コストも高いので、電子機器が高価になってしまうという問題点がある。さらに、合わせ目の隙間を調整する機構を電子機器の本体内部に構成するため、電子機器本体が大型化してしまうという問題がある。
【００１３】
本発明の目的は、複数のピースで構成された外装カバーの継ぎ目に生じる隙間を小さくして、外観の品位を高めることが可能で、構成が簡素であり、部品点数が少なく、廉価に製造可能な電子機器を提供することにある。
【課題を解決するための手段】
【００１４】
上記目的を達成するために、本発明の電子機器は第１のカバー部材と、前記第１のカバー部材と係合する第２のカバー部材とを有する電子機器であって、前記第１のカバー部材の端部に、前記第１のカバー部材の表面から離れるにつれ前記第１のカバー部材の外側に傾斜する斜面を形成し、前記第２のカバー部材の端部に、前記第１のカバー部材と前記第２のカバー部材とが係合したときに、前記斜面に当接するとともに、前記第１のカバー部材に向かって付勢される当接部を形成することを特徴とする。
【発明の効果】
【００１５】
本発明によれば、電子機器のハウジング部品である複数のピースで構成された外装カバーの継ぎ目に生じる隙間を最小化して、電子機器ハウジングにおける外観の品位を高めることができる。また、本発明によれば、構成が簡素で部品点数が少ないので、廉価な製品を提供できるという効果がある。
【図面の簡単な説明】
【００１６】
【図１】本発明の電子機器の第１実施の形態に係わるデジタルカメラを正面側から見た外観を示す斜視図である。
【図２】本発明の電子機器の第１実施の形態に係わるデジタルカメラを背面側から見た外観を示す斜視図である。
【図３】本発明の第１実施の形態に係わるデジタルカメラのリアカバーを取り出して、その内面側から見た状態を示す斜視図である。
【図４】本発明の第１実施の形態に係わるデジタルカメラのフロントカバーを取り出して、その内面側から見た状態を示す斜視図である。
【図５】本発明の第１実施の形態に係わるデジタルカメラにおけるフロントカバー用の第２の係合部材を取り出して示す要部拡大斜視図である。
【図６】本発明の第１実施の形態に係わるデジタルカメラにおける、リアカバー用の第１の係合部材とフロントカバー用の第２の係合部材とが組み合った状態を取り出して示す要部拡大斜視図である。
【図７】引き込み構造の構成を示す、図６のＡ―Ａ線による要部拡大断面斜視図である。
【図８】引き込み構造段の構成を示す、図６のＡ―Ａ線による要部拡大縦断面図である。
【図９】本発明の第１実施の形態に係わるデジタルカメラにおけるフロントカバーとリアカバーとを外したカメラ本体内部部品を背面側から見た状態を示す斜視図である。
【図１０】本発明の第１実施の形態に係わるデジタルカメラにおけるカメラ本体内部部品のストロボユニット部分を取り出して示す要部拡大斜視図である。
【図１１】本発明の第１実施の形態に係わるデジタルカメラの本体内部のストロボユニット部分における２本のリブの部分を取り出して示す要部拡大斜視図である。
【図１２】本発明の第１実施の形態に係わるデジタルカメラの本体内部における第１の係合部材と第２の係合部材との間にある、爪係合構造及び引き込み構造の部分を取り出して底面側から見た状態を示す要部拡大斜視図である。
【図１３】図２のＢ−Ｂ線による、第１の係合部材と第２の係合部材との間にある、引き込み構造の部分の断面を示す、要部拡大断面図である。
【図１４】図２のＣ−Ｃ線による、第１の係合部材と第２の係合部材との間にある、引き込み構造の部分の断面を示す、要部拡大断面図である。
【図１５】（Ａ）乃至（Ｄ）は、本発明の第１実施の形態に係わるデジタルカメラにおける、リアカバーが装着された本体内部部品側にフロントカバーを組み込む途中から、組み込み完了までの一連の動作を示す要部断面斜視図である。
【図１６】（Ａ）乃至（Ｄ）は、本発明の第１実施の形態に係わるデジタルカメラにおける、リアカバーが装着された本体内部部品側にフロントカバーを組み込む途中から、組み込み完了までの一連の動作を示す要部縦断面図である。
【図１７】本発明の第２実施の形態に係わるデジタルカメラにおける、第１の係合部材と第２の係合部材との間にある、引き込み構造の部分を示す要部断面斜視図である。
【図１８】本発明の第２実施の形態に係わるデジタルカメラにおける、第１の係合部材と第２の係合部材との間にある、引き込み構造の部分を示す要部縦断面図である。
【発明を実施するための形態】
【００１７】
以下、本発明を実施するための最良の形態について図面を参照しながら説明する。
【００１８】
図１は、本発明の電子機器の第１実施の形態に係わるデジタルカメラを正面側から見た外観を示す斜視図である。
【００１９】
この図１で、１は、撮影準備及び撮影開始を指示するためのレリーズボタン、２は、鏡筒レンズの焦点位置を変化するためのズームレバー、３は電子撮像装置の電源のＯＮ、ＯＦＦ機能を持つ電源ボタンである。さらに、この図１で、４は、焦点位置を正確に知るための補助光窓、５は、ストロボ発光部、６は、画像の構図を決定する光学ファインダ部、７は、沈動式鏡筒レンズ、８は、外装を構成するためのフロントカバーである。
【００２０】
図２は、本発明の電子機器の外装部品の組み立て締結構造の第１実施の形態に係わるデジタルカメラを背面側から見た外観を示す斜視図である。
【００２１】
この図２で、９は、撮影モードや再生モード等の切り替えを設定するためのモードレバー部、１０は、外部接続端子カバー、１１は、ストラップを通すためのストラップ部である。さらに、この図２で、１２は、ライブ画像表示用又は撮影画像確認用の画像表示ＬＣＤ部、１３は、撮影時及び再生時に各種設定を行う十字ボタン、２０は、外装を構成するためのリアカバーである。
【００２２】
図３は、リアカバー２０を取り出して、その内面側から見た状態を示す斜視図である。
【００２３】
このリアカバー２０の上面部には、金属製の第１の係合部材２１が配置されかしめ等で固定されている。本実施形態では第１の係合部材２１が固定されたリアカバー２０を第１のカバー部材とする。
【００２４】
図４は、フロントカバー８を取り出して、その内面側から見た状態を示す斜視図である。このフロントカバー８の上面部には、金属製の第２の係合部材２２が配置され、かしめ等で固定されている。本実施形態では第２の係合部材２２が固定されたフロントカバー８を第２のカバー部材とする。第１の係合部材２１と第２の係合部材２２とが係合することで、フロントカバー８とリアカバー２０は係合する。なお、第１の係合部材２１と第２の係合部材２２とは、それぞれ剛性が高く、弾性変形可能な種々の材料で構成しても良い。
【００２５】
図５は、フロントカバー８の端部に固定される第２の係合部材２２を取り出して示す要部拡大斜視図である。
【００２６】
第２の係合部材２２は、長手方向の一方の側辺の複数箇所から、矩形枠形状に形成された突片状の係止部３５をそれぞれ一体的に突設する。
【００２７】
この係止部３５には、その平面部の中央部を小矩形板状に斜めに切り起こして、爪係合構造を構成するための係止爪部２６、２７を形成する。この係止爪部２６、２７は、係止部３５の自由端部から第１の係合部材２１の本体にかけて斜めに立ち上がるように折曲して形成する。
【００２８】
第２の係合部材２２には、複数の係止部３５の間に、引き込み構造の一方を構成する引き込み作用片２３を一体的に突設する。
【００２９】
この引き込み作用片２３は、略小矩形平板の舌片状に形成され、その中央部に貫通穴部２４が形成されている。貫通穴部２４の開口形状は、フロントカバー８に固定される際にフロントカバー８側となる部分が半円形に形成され、外側の部分がフロントカバー８の端面と平行となるように矩形に形成されている。要するに、この貫通穴部２４は、半円形開口の直径部分に矩形開口を一体に接続した変形開口形状に形成されている。
【００３０】
貫通穴部２４は内周端面２４ａを有し、第１の係合部材２１と第２の係合部材２２とが係合したときに、貫通穴部２４の内周端面２４ａは第１の係合部材２１に形成した凸部２８の斜面に当接する。また、引き込み作用片２３の外側先端には、第１の係合部材２１と第２の係合部材２２とを係合させる際、両者が正しい位置で係合するように案内する案内突片３６が形成されている。
【００３１】
図６は、第１の係合部材２１と第２の係合部材２２とが係合した状態を取り出して示す要部拡大斜視図である。なお、図６では、見やすくするために、フロントカバー８及びリアカバー２０を、取り除いた状態で示している。
【００３２】
第１の係合部材２１には、第２の係合部材２２に形成される係止爪部２６、２７より一回り大きな開口に形成される。また、係止開口３７の外側端辺部には小半円形に湾曲させた湾曲形状部３８が形成されている。さらに第１の係合部材２１には、第１の係合部材２１と第２の係合部材２２とを係合させたときに、第２の係合部材２２の貫通穴部２４に入り込む位置に設けられる凸部２８が形成されている。凸部２８は第１の係合部材２１部材の表面から突出する凸部であるので、第１の係合部材２１部材の表面から離れるにつれ第１の係合部材２１の外側に傾斜する斜面を有する。
【００３３】
図６に示すように、第１の係合部材２１と第２の係合部材２２とは、係止爪部２６、２７が係止開口３７係止開口３７に入り込むことによって係合している。係止開口３７に係止爪部２６、２７がそれぞれ入り込むと、係止爪部２６、２７の切り起された端辺が係止開口３７の外側端辺部に当接するので、第１の係合部材２１と第２の係合部材２２は結合した状態を維持できる。係止開口３７の外側端辺部に湾曲形状部３８が形成されているので、係止爪部２６、２７の切り起された端辺が当接する領域が広げられ、係止爪部２６、２７先端との係止を確実にするように構成されている。
【００３４】
係止開口３７は係止爪部２６、２７より一回り大きいので、係止爪部２６、２７は係止開口３７の内側で僅かに動くことができる。したがって、図６に示す状態でも第１の係合部材２１と第２の係合部材２２との間に多少のガタが生じる。
【００３５】
そこで、本実施形態では、以下のような引き込み構造部２５を設けている。第２の係合部材２２に貫通穴部２４を形成し、貫通穴部２４の内周端面２４ａが第１の係合部材２１に形成した凸部２８の斜面に当接する。このとき、引き込み作用片２３は第１の係合部材２１に向かって付勢されるので、内周端面２４ａが凸部２８の斜面を押すことになる。内周端面２４ａが凸部２８の斜面を押すことによって、内周端面２４ａは凸部２８の斜面を摺動して、第２の係合部材２２が第１の係合部材２１に引き込まれる。このように、第２の係合部材２２には第１の係合部材２１の方向に引き込む力が作用することによって、第１の係合部材２１と第２の係合部材２２との間に生じるガタを吸収することができる。さらに、ガタを吸収する方向が第１の係合部材２１と第２の係合部材２２とを接近させる方向であるので、フロントカバー８とリアカバー２０とを接近させることができ、両者の間に見苦しい隙間を生じさせない構造となっている。
【００３６】
図７は、引き込み構造２５の構成を示す、図６のＡ―Ａ線による要部拡大断面斜視図である。
【００３７】
図８は、引き込み構造２５の構成を示す、図６のＡ―Ａ線による要部拡大縦断面図である。
【００３８】
図７及び図８に示すように、この引き込み構造２５では、第１の係合部材２１に形成した凸部２８が第２の係合部材２２に形成した貫通穴部２４に入り込んでいる。このとき、引き込み作用片２３は第１の係合部材２１に向かって付勢され、かつ貫通穴部２４の内周端面２４ａが第１の係合部材２１に形成した凸部２８の斜面に当接しているので、内周端面２４ａが凸部２８の斜面を押し込む。すると、内周端面２４ａは凸部２８の斜面を摺動していくので、第２の係合部材２２を第１の係合部材２１に引き込む作用をする。  次に、引き込み構造２５における凸部２８と貫通穴部２４とを相互に圧接される作用を増強して、リアカバー２０とフロントカバー８とを合せ方向に強力に付勢して保持する。これと共に、第１の係合部材２１と第２の係合部材２２との間に配置された爪係合構造の部分を挟み付けることによって、係合状態を、強力に保持するためのデジタルカメラ本体内部の構成について、図９乃至図１６により説明する。
【００３９】
図９は、フロントカバー８とリアカバー２０とを外したカメラ本体内部部品を背面側から見た状態を示す斜視図である。この図９で、２９は、内部部材であるストロボユニットである。
【００４０】
図１０は、ストロボユニット２９の要部を取り出して示す要部拡大斜視図である。
【００４１】
この図１０で、３０は、２本のリブである。この２本のリブ３０は、フロントカバー８を組んだときに、第２の係合部材２２の引き込み作用片２３を第１の係合部材２１に向けて押し上げて、貫通穴部２４の内周端部２４を凸部２８の斜面に当接するようにガイドするガイド部として機能する。
【００４２】
２本のリブ３０の間隔は引き込み作用片２３に形成された案内突片３６の形状に基づいて設定されている。すなわち、第１の係合部材２１と第２の係合部材２２とを係合させる際、案内突片３６が２本のリブ３０の間をガイドされて、引き込み作用片２３が凸部２８の下に入り込むようになっている。
【００４３】
図１１は、ストロボユニット２９における２本のリブ３０を取り出して示す要部拡大斜視図である。この２本のリブ３０は、内部部材の正面側から背面側にかけて設けられた、表面が滑らかに湾曲した２本の突条に形成されている。この２本のリブ３０には、その長手方向の中間部分に、滑らかに凹んだ斜面部３２が形成されている。さらに、２本のリブ３０の先端部３１は、引き込み作用片２３の下側に当接して、引き込み作用片２３を第１の係合部材２１に向かって押し上げる形状に構成されている。
【００４４】
図１２は、本第１の係合部材２１と第２の係合部材２２との間にある、爪係合構造及び引き込み構造２５を取り出して底面側から見た状態を示す要部拡大斜視図である。
【００４５】
図１３は、図２のＢ−Ｂ線による、第１の係合部材２１と第２の係合部材２２との間にある、引き込み構造２５の断面を示す、要部拡大断面図である。
【００４６】
図１３に示すように、引き込み作用片２３がストロボユニット２９に配置したリブ当接部３１と当接する位置は、貫通穴部２４の内周端面２４ａと凸部２８の斜面とが当接する位置よりも奥側に設定されている。
【００４７】
要するに、引き込み構造２５では、引き込み作用片２３の先端側をリブ当接部３１が、カメラ本体の底面側から押圧する。これと共に、第１の係合部材２１に設けた凸部２８をリアカバー２０がカメラ本体の天面側（上面側）から押圧する。
【００４８】
よって、片持ち梁状に形成された引き込み作用片２３が、その先端を下からリブ当接部３１で押されるように支持される。これと共に、引き込み作用片２３の先端と基端との間に位置する貫通穴部２４の内周端面２４ａが、凸部２８で押される状態となる。これにより、貫通穴部２４の内周端面２４ａはより強い力で凸部２８の斜面に押し付けられることとなる。
【００４９】
この作用で、第２の係合部材２２と、第１の係合部材２１とは、係合状態に組み合わされたときに相互に接近するように引き込まれる。その結果、リアカバー２０とフロントカバー８とは、相互に引き合う付勢力を与える状態となり、これらの間の隙間を閉じることになる。したがって、フロントカバー８とリアカバー２０との継ぎ目に生じる隙間を小さくして、外観の品位を高めることができる。
【００５０】
図１４は、図２のＣ−Ｃ線による、第１の係合部材２１と第２の係合部材２２との間にある、引き込み構造２５の断面を示す、要部拡大断面図である。
【００５１】
図１４に示すように、フロントカバー８とリアカバー２０とを装着した状態では、２本のリブ３０の間の空間が、凸部２８を逃げる構造となっている。
【００５２】
また、２本のリブ３０には、それぞれ、滑らかに凹んだ斜面部３２が形成されている。この滑らかに凹んだ斜面部３２は、フロントカバー８をリアカバー２０が装着されたカメラ本体内部部品側に組み込む動作又は取り外す操作の際に、引き込み作用片２３がリブ３０と干渉（衝突）しないように逃げる形状に構成されている。
【００５３】
次に、デジタルカメラの筐体を構成するため、カメラ本体内部部品の外側にフロントカバー８とリアカバー２０とを組み付ける工程について、図１４乃至図１６によって説明する。
【００５４】
図１５（Ａ）乃至（Ｄ）は、リアカバー２０が装着された内部部材側にフロントカバー８を組み込む途中から、組み込み完了までの一連の動作を示す要部断面斜視図である。
【００５５】
図１６（Ａ）乃至（Ｄ）は、リアカバー２０が装着されたカメラ本体内部部品側にフロントカバー８を組み込む途中から、組み込み完了までの一連の動作を示す要部縦断面図である。
【００５６】
これら図１５（Ａ）及び図１６（Ａ）では、カメラ本体内部部品にリアカバー２０が組み込まれた状態が示されている。さらに、この状態では、すでにフロントカバー８に第２の係合部材２２が装着され、リアカバー２０に第１の係合部材２１が装着されている。
【００５７】
このデジタルカメラでは、図１５（Ａ）及び図１６（Ａ）に示すように、カメラ本体内部部品にリアカバー２０が組み込まれた状態で、フロントカバー８を上面の斜め上方から引き込み作用片２３を挿入して組み込み動作を開始する。この動作では、図１５（Ａ）乃至（Ｃ）及び図１６（Ａ）乃至（Ｃ）に示すように、フロントカバー８を斜め上方から徐々に、回転させながら組み込んでいく。
【００５８】
この動作の過程では、第２の係合部材２２と当接するカメラ本体内部部品のリブ３０に、引き込み作用片２３と干渉しないように逃げるよう滑らかに凹んだ斜面部３２が形成されているため、スムーズに組むことが可能になる。
【００５９】
そして、フロントカバー８が図１５（Ｄ）及び図１６（Ｄ）に示す最終位置に組み込まれると、カメラ本体内部部品のリブ当接部３１に第２の係合部材２２の引き込み作用片２３が当接して、組み込み動作を完了する。
【００６０】
上述したフロントカバー８及びリアカバー２０の組み立て締結構造では、略ワンタッチの作業で、リアカバー２０が取り付けられたカメラ本体内部部品に対して、フロントカバー８を組み込むことができる。よって、組み立て締結構造では、組み立て作業工程での、作業効率を向上できるので大量生産に適する。
【００６１】
さらに、この組み立て締結構造では、組み立て完了後に、引き込み構造２５によるフロントカバー８とリアカバー２０とを引き合わせる作用により、継ぎ目に生じる隙間を小さくして、外観の品位を高めることが可能である。また、引き込み構造２５は、第１の係合部材２１と第２の係合部材２２とに設ける爪係合構造と併設するので、部品点数を少なくし、構成の簡素化を図り、廉価に製造できる。
【００６２】
次に、本発明の第２実施の形態について、図１７及び図１８を参照して説明する。
【００６３】
図１７は、本発明の第２実施の形態に係わるデジタルカメラにおける、第１の係合部材２１と第２の係合部材２２との間にある、引き込み構造の部分を示す要部断面斜視図である。
【００６４】
図１８は、本発明の第２実施の形態に係わるデジタルカメラにおける、第１の係合部材２１と第２の係合部材２２との間にある、引き込み構造の部分を示す要部縦断面図である。
【００６５】
本発明の第２実施の形態に係わる、引き込み構造では、フロントカバー用の第２の係合部材２２の引き込み作用片２３と圧接するカメラ本体内部部品の当接リブ３３の下側に空間３４を設けている。このカメラ本体内部部品の当接リブ３３は、弾性を有する樹脂で形成する。このように構成することにより、当接リブ３３は、弾性変形して撓む範囲が広がる。よって、このデジタルカメラでは、組み立てられた状態からフロントカバー８を回転させながら分解する際に、引き込み作用片２３が当接リブ３３を押圧して撓ませることにより、無理なく分解することができる。
【００６６】
すなわち、本第２実施の形態に係わる、引き込み構造では、カメラ本体内部部品側に設ける当接リブ３３の先端部を片持梁状に形成する。そして、当接リブ３３の先端部が、引き込み作用片２３の自由端部に弾性的に圧接して貫通穴部２４の内周端面２４ａと凸部２８とが圧接するときの反力を受ける構造とする。
【００６７】
この構造では、当接リブ３３の弾性変形量を大きく設定できる。よって、この構造では、カメラ本体内部部品に対してフロントカバー８を着脱する作業の際に、引き込み作用片２３が圧接する当接リブ３３を必要量だけ弾性変形させて、無理なく着脱作業を行うことができる。
【００６８】
また、上述した本実施の形態によれば、デジタルカメラ等の電子機器の外装を構成するフロントカバー８にかしめ等で第２の係合部材２２を固定する。さらに、リアカバー２０にかしめ等で第１の係合部材２１を固定する。そして、第１の係合部材２１の係止開口３７に、第２の係合部材２２の係合部材２２の係止爪部２６、２７を係止してフロントカバー８とリアカバー２０を固定する。これと共に、係止している箇所以外の箇所で、貫通穴部２４の内周端部２４ａが凸部２８に圧接する。その際、引き込み作用片２３の根元側（基端側）の位置で、係止開口３７の穴形状の内側と凸部２８の斜面部が、両カバーの合せ方向で干渉する位置関係で配置する寸法設定を行う。そして、リアカバー２０に機械的な手段で固定されている第１の係合部材２１は、カメラ本体内部部品と当接している。このため、貫通穴部２４の内周端部２４ａが、凸部２８の斜面に沿って、斜面の根元方向に力を受けることになり、第２の係合部材２２に第１の係合部材２１を引き込む力が発生する。このため、第１の係合部材２１が固定されたリアカバー２０と、第２の係合部材２２が固定されたフロントカバー８とが、相互により沿う方向に力が働くため、カバー同士の合わせ目の隙間が小さくなる。
【００６９】
さらには、リアカバー２０に機械的な手段で固定されている第１の係合部材２１がカメラ本体内部部品と当接して保持されている。このため、落下した際などに容易に第１の係合部材２１と第２の係合部材２２との係合が外れないようにできる。
【００７０】
また、リアカバー２０側にフロントカバー８を上面の斜め上方から回転しながら組み付けて、フロントカバー８が正位置に来ると初めて、リアカバー用の第１の係合部材２１にフロントカバー用の第２の係合部材２２が係着する。このように構成することで、機能を満足しながら、さらに組立性を良くすることができる。
【００７１】
さらに、引き込み作用片２３に圧接する当接リブ３３に弾性を持たせる構成とした場合には、フロントカバー８とリアカバー２０との分解性能を向上できる。これは、フロントカバー８とリアカバー２０とを分解する際には、フロントカバー８を組立とは逆回転させて外すため、本体内部部品の当接リブ３３と当接している引き込み作用片２３が当接リブ３３を撓ませて回転することができるためである。
【符号の説明】
【００７２】
１  レリーズボタン
２  ズームレバー
３  電源ボタン
４  補助光窓
５  ストロボ部
６  光学ファインダ部
７  鏡筒レンズ部
８  フロントカバー（第２のカバー部材）
９  モードレバー
１０  外部接続端子カバー
１１  ストラップ部
１２  画像表示ＬＣＤ部
１３  十字ボタン
２０  リアカバー（第１のカバー部材）
２１  第１の係合部材
２２  第２の係合部材
２３  引き込み作用片
２４  貫通穴部
２４ａ  内周端部
２５  引き込み構造
２６  係止爪部
２７  係止爪部
２８  半球形の外周斜面
２９  ストロボユニット（内部部材）
３０  リブ（ガイド部）
３１  リブ当接部
３２  滑らかに凹んだ斜面部
３３  当接リブ
３５  被係留部
３６  案内突片
３７  係合開口
【図１】
2010182798.tif 000003
【図２】
2010182798.tif 000004
【図３】
2010182798.tif 000005
【図４】
2010182798.tif 000006
【図５】
2010182798.tif 000007
【図６】
2010182798.tif 000008
【図７】
2010182798.tif 000009
【図８】
2010182798.tif 000010
【図９】
2010182798.tif 000011
【図１０】
2010182798.tif 000012
【図１１】
2010182798.tif 000013
【図１２】
2010182798.tif 000014
【図１３】
2010182798.tif 000015
【図１４】
2010182798.tif 000016
【図１５】
2010182798.tif 000017
【図１６】
2010182798.tif 000018
【図１７】
2010182798.tif 000019
【図１８】
2010182798.tif 000020